(57)【要約】      （修正有）【課題】運転に要するエネルギーの少ない吸収式冷凍機を提供する。【解決手段】再生器３は、膜分離器３１と、冷媒液分離器３２と、を備え、膜分離器３１は、吸収液供給部３１ｂと、ドロー溶液供給部３１ｃと、再生液排出部３１ｄと、希釈ドロー溶液排出部３１ｅと、を備え、冷媒液分離器３２は、分離槽３２ａと、冷媒液返送部３２ｂと、ドロー溶液返送部３２ｃと、を備える。【選択図】図１
2016180583.tif 000002
【特許請求の範囲】
【請求項１】
冷媒液を冷媒蒸気へと蒸発させて気化冷熱を得る蒸発器と、前記蒸発器で発生した冷媒蒸気を吸収する吸収液を備えた吸収器と、前記吸収器において冷媒蒸気を吸収した吸収液から冷媒液と当該冷媒液が分離された再生液とを得る再生器と、を備えた吸収式冷凍機であって、
前記再生器は、膜分離器と、冷媒液分離器と、を備え、
前記膜分離器は、冷媒透過性の分離膜と、前記吸収器において冷媒蒸気を吸収した吸収液を前記分離膜の一方面側に供給する吸収液供給部と、下限臨界溶解温度を有する感温性高分子を含有するドロー溶液を前記分離膜の他方面側に供給するドロー溶液供給部と、前記分離膜の一方面側に存在する吸収液から前記分離膜を介して冷媒液が当該分離膜の他方面側に移行することで分離された再生液を、前記分離膜の一方面側から前記吸収器側に排出する再生液排出部と、前記分離膜の一方面側に存在する吸収液から前記分離膜を介して冷媒液が当該分離膜の他方面側に移行することで感温性高分子濃度が希釈された希釈ドロー溶液を、前記分離膜の他方面側から前記冷媒液分離器へ排出する希釈ドロー溶液排出部と、を備え、
前記冷媒液分離器は、前記希釈ドロー溶液排出部から排出される希釈ドロー溶液を下限臨界溶解温度以上に加熱して感温性高分子と冷媒液とに二相分離する分離槽と、前記分離槽で分離された冷媒液を前記蒸発器に供給する冷媒液返送部と、前記分離槽で冷媒液が分離されて感温性高分子濃度が濃縮再生されたドロー溶液を前記膜分離器における前記分離膜の他方面側に供給するドロー溶液返送部と、を備える吸収式冷凍機。
【請求項２】
前記冷媒液が水であり、前記吸収液が臭化リチウム水溶液、アンモニア水溶液、トリエチレングリコール水溶液及びトリプロピレングリコール水溶液から選ばれる少なくとも一種の水溶液であり、前記感温性高分子が非イオン性界面活性剤、エチレングリコールアルキル化合物、ポリエチレングリコール化合物、ポリエチレングリコールアルキル化合物及びポリエチレングリコールジアルキル化合物から選ばれる少なくとも一種以上を主成分とする化合物である請求項１に記載の吸収式冷凍機。
【請求項３】
前記分離膜は、架橋ポリアミド系複合膜である請求項１または２に記載の吸収式冷凍機。
【発明の詳細な説明】
【技術分野】
【０００１】
本発明は、冷媒液を冷媒蒸気へと蒸発させて気化冷熱を得る蒸発器と、前記蒸発器で発生した冷媒蒸気を吸収する吸収液を備えた吸収器と、前記吸収器において冷媒蒸気を吸収した吸収液から冷媒液と当該冷媒液が分離された再生液とを得る再生器と、を備えた吸収式冷凍機に関する。
【背景技術】
【０００２】
上記のような吸収式冷凍機は、冷媒液を蒸発器において蒸発させ、この蒸発による気化熱で蒸発器内を通流する冷却対象媒体を冷却し、冷房等の冷熱需要に対応することができる。
このような従来の吸収式冷凍機として、例えば、特許文献１が挙げられる。
【０００３】
一般的な吸収式冷凍機の基本構成を図２に示す。吸収式冷凍機は、図２において、以下の工程を繰り返すものとなっている。
（１）  蒸発器１にて冷媒液ａは蒸発し、その際の蒸発潜熱（気化熱）で冷熱を発生し、冷熱回収部１１の冷却対象媒体ｂを冷却する。発生した冷媒蒸気ｃは吸収器２に入る。
（２）  吸収器２で冷媒蒸気ｃは吸収液ｄに吸収され、希釈吸収液ｅとなる。この際、吸収熱および凝縮熱が発生するが、それらは、冷却水ポンプＰ２にて冷却配管２２ａを流通する冷却媒体ｆにより冷却される。
（３）  吸収器２で生成した、冷媒液ａと吸収液とが混合された希釈吸収液ｅは、溶液ポンプＰ１にて配管を通して再生器３に輸送される。
（４）  再生器３では、高温熱源を加熱媒体ｊとする再生加熱部３３から供給される熱により、希釈吸収液ｅは冷媒蒸気ｃと吸収液ｄに分離され、冷媒蒸気ｃは凝縮器４に、濃縮再生された吸収液ｄ（再生液）は吸収器２にそれぞれ移る。
（５）  凝縮器４で冷媒蒸気ｃは、冷媒配管２２ｂを流通する冷却媒体ｆにより冷却されて凝縮し、液化した冷媒液ａは蒸発器１に再び入り、（１）の工程に戻り、サイクルを繰り返す。
【先行技術文献】
【特許文献】
【０００４】
【特許文献１】特開平０１−２１９４５３号公報
【発明の概要】
【発明が解決しようとする課題】
【０００５】
しかし以上に述べた従来の吸収式冷凍機では、凝縮器において冷媒蒸気を冷却媒体により冷却する必要がある。一般に冷却媒体には冷却水が用いられるが、凝縮器で放出された熱を吸収した冷却水は、配管を通して冷却水ポンプで別途冷却塔（クーリングタワーともいう）へ輸送され、そこで大気へ熱が放出される。この冷却水ポンプの動力は吸収式冷凍機を運転するうえでランニングコストの一要素となるとともに、冷却水ポンプや、冷却水配管、冷却塔などの付加的装置は、吸収式冷凍機が大型化する要因となっている。また、再生加熱部では高温熱源を要し、これがランニングコストを嵩ませる大きな要因となっている。
【０００６】
そのため、このような吸収式冷凍機においては、少ない動力で吸収液および冷媒液を再生することがエネルギー効率の向上のために有効であると考えられる。
【０００７】
そこで本発明は、装置構成の小型化を図りつつ、運転に要するエネルギーの少ない吸収式冷凍機を実現することを目的とするものである。
【課題を解決するための手段】
【０００８】
〔構成１〕
上記目的を達成するための本発明の吸収式冷凍機の特徴構成は、
冷媒液を冷媒蒸気へと蒸発させて気化冷熱を得る蒸発器と、前記蒸発器で発生した冷媒蒸気を吸収する吸収液を備えた吸収器と、前記吸収器において冷媒蒸気を吸収した吸収液から冷媒液と当該冷媒液が分離された再生液とを得る再生器と、を備えた吸収式冷凍機であって、
前記再生器は、膜分離器と、冷媒液分離器と、を備え、
前記膜分離器は、冷媒透過性の分離膜と、前記吸収器において冷媒蒸気を吸収した吸収液を前記分離膜の一方面側に供給する吸収液供給部と、下限臨界溶解温度を有する感温性高分子を含有するドロー溶液を前記分離膜の他方面側に供給するドロー溶液供給部と、前記分離膜の一方面側に存在する吸収液から前記分離膜を介して冷媒液が当該分離膜の他方面側に移行することで分離された再生液を、前記分離膜の一方面側から前記吸収器側に排出する再生液排出部と、前記分離膜の一方面側に存在する吸収液から前記分離膜を介して冷媒液が当該分離膜の他方面側に移行することで感温性高分子濃度が希釈された希釈ドロー溶液を、前記分離膜の他方面側から前記冷媒液分離器へ排出する希釈ドロー溶液排出部と、を備え、
前記冷媒液分離器は、前記希釈ドロー溶液排出部から排出される希釈ドロー溶液を下限臨界溶解温度以上に加熱して感温性高分子と冷媒液とに二相分離する分離槽と、前記分離槽で分離された冷媒液を前記蒸発器に供給する冷媒液返送部と、前記分離槽で冷媒液が分離されて感温性高分子濃度が濃縮再生されたドロー溶液を前記膜分離器における前記分離膜の他方面側に供給するドロー溶液返送部と、を備える点にある。
【０００９】
〔作用効果１〕
つまり、上述の従来の吸収式冷凍機において、（１）、（２）、（３）の工程を経て再生器に輸送された吸収液は膜分離器に導入される。膜分離器では、一方面側に吸収液が供給されるとともに、他方面側にドロー溶液が供給される形態となる。すると、一方面側と他方面側との浸透圧により、一方面側の吸収液中の冷媒液がドロー溶液側に移行し、吸収液から冷媒液が分離され、再生された再生液が得られる。すなわち大きな動力を用いることなく再生液が得られる。
【００１０】
ここで、ドロー溶液は、下限臨界溶液温度を有する感温性高分子を含有するから、冷媒液を吸収して希釈された溶液となっても、下限臨界溶液温度以上に加熱することにより二相分離させることができる。冷媒液分離器では、冷媒液を吸収して希釈された希釈ドロー溶液を受け入れて、希釈ドロー溶液を加熱して感温性高分子と冷媒液を二相分離する分離槽を備えるから、加熱により冷媒液を回収するとともに希釈ドロー溶液からドロー溶液を再生することができる。冷媒液およびドロー溶液を、ドロー溶液を２相分離させるための熱を加えるだけで回収するとともに再利用して、先の工程（１）に戻り、冷凍サイクルを繰り返すことができる。
【００１１】
したがって、希釈ドロー溶液を再生させるため（２相分離させる）に必要な加熱のみで冷凍サイクルを繰り返すことができる。したがって、従来の構造に比べて、再生器にて冷媒液を蒸発させる潜熱分の加熱が必要がなく、高温熱源を加熱媒体とする再生加熱部や、凝縮器を必要とせず、また、それに付随する冷却水、冷却水ポンプおよび冷却塔も必要としない装置構成の小型化を図りながら、運転に要するエネルギーの少ない吸収式冷凍機を実現することができた。
【００１２】
〔構成２〕
また、前記冷媒液が水であり、前記吸収液が臭化リチウム水溶液、アンモニア水溶液、トリエチレングリコール水溶液、及びトリプロピレングリコール水溶液から選ばれる少なくとも一種の水溶液であり、前記感温性高分子が非イオン性界面活性剤、エチレングリコールアルキル化合物、ポリエチレングリコール化合物、ポリエチレングリコールアルキル化合物、ポリエチレングリコールジアルキル化合物から選ばれる少なくとも一種以上を主成分とする化合物であってもよい。
尚、トリエチレングリコールは、
Ｈ−（ＯＣＨ2ＣＨ2）3−ＯＨ
で表される化合物であり、
トリプロピレングリコールは、
Ｈ−（ＯＣＨ2ＣＨ2ＣＨ2）3−ＯＨ
で表される化合物であり、
ポリエチレングリコール化合物
Ｈ−（ＯＣＨ2ＣＨ2）n−ＯＨ
（ｎは２〜５）
で表される化合物であり、
ポリエチレングリコールアルキル化合物は、
Ｒ1−（ＯＣＨ2ＣＨ2）n−ＯＨ
（Ｒ1は、Ｃ１〜Ｃ６のアルキル基、ｎは２〜５）
で表される化合物であり、
ポリエチレングリコールジアルキル化合物は、
Ｒ1−（ＯＣＨ2ＣＨ2）n−ＯＲ2
（Ｒ1およびＲ2は、それぞれＣ１〜Ｃ６のアルキル基、ｎは２〜５）
で表される化合物を指す。
【００１３】
〔作用効果２〕
吸収液としては、臭化リチウム水溶液、アンモニア水溶液、トリエチレングリコール水溶液、及びトリプロピレングリコール水溶液等が考えられる。これらを吸収液として用いることにより、分離膜として汎用的な正浸透膜として用いられるものを利用できる。また、感温性高分子を非イオン性界面活性剤、エチレングリコールアルキル化合物、ポリエチレングリコール化合物、ポリエチレングリコールアルキル化合物、ポリエチレングリコールジアルキル化合物から選ばれる少なくとも一種以上を主成分とする化合物とすることで、高い浸透圧を確保できるとともに、３０℃〜８０℃で希釈ドロー溶液を２相分離させることができ、比較的低温の排熱であっても有効利用できる。
【００１４】
なお、吸収液には、冷媒液および溶質成分以外に種々添加材を含んでいてもよく、たとえば、溶解度改善のためヨウ化リチウム、硝酸リチウム、エチレングリコール、塩化亜鉛、チオシアン酸リチウムなど、防食のためモリブデン酸リチウム、クロム酸リチウムなど、吸収促進のため１−オクタノールなどの界面活性剤を添加することができる。
【００１５】
〔構成３〕
また、前記分離膜は架橋ポリアミド系複合膜であってもよい。
【００１６】
〔作用効果３〕
分離膜として、汎用的でかつ分離効率の高いものとして酢酸セルロース膜、架橋ポリアミド系複合膜などが知られている。中でも特に分離性能の高い架橋ポリアミド系複合膜を分離膜として用いることで、高効率な冷凍サイクルを繰り返し行える。
【００１７】
なお、分離膜はスパイラル状、中空糸状等にモジュール化したものが好適に利用されるが、これらに限るものではない。
【発明の効果】
【００１８】
したがって、運転に要するエネルギーの少ない吸収式冷凍機を実現することができ、さらに全体として冷却水循環用のポンプや配管を省略できたことにより、コンパクトな吸収式冷凍機とすることができた。
【図面の簡単な説明】
【００１９】
【図１】本発明の実施形態にかかる吸収式冷凍機の概略図
【図２】従来の吸収式冷凍機の概略図
【発明を実施するための形態】
【００２０】
以下に、本発明の実施形態にかかる吸収式冷凍機を説明する。尚、以下に好適な実施例を記すが、これら実施例はそれぞれ、本発明をより具体的に例示するために記載されたものであって、本発明の趣旨を逸脱しない範囲において種々変更が可能であり、本発明は、以下の記載に限定されるものではない。
【００２１】
本発明の実施形態にかかる吸収式冷凍機は、図１に示すように、蒸発器１と、吸収器２と、再生器３とを備える。
蒸発器１は、冷媒液ａを冷媒蒸気ｃへと蒸発させて得た気化冷熱を冷却対象媒体ｂを流通させて回収する冷熱回収部１１を備える。また、蒸発器１内の内圧を、冷媒蒸気ｃが気化しやすい低圧に維持するための真空ポンプ１２を必要に応じて備える。
吸収器２は、蒸発器１で発生した冷媒蒸気ｃを吸収する吸収液ｄを備え、吸収液ｄが冷媒蒸気ｃを吸収した凝縮熱を放熱するための冷却ファン２１を備える。吸収液ｄが冷媒蒸気ｃを吸収した希釈吸収液ｅは、溶液ポンプＰ１により再生器３に移送される。
また、再生器３は、冷媒蒸気ｃを吸収した希釈吸収液ｅを再生して、冷媒液ａと冷媒蒸気ｃを吸収した希釈吸収液ｅから冷媒液ａを分離して再生された吸収液ｄを再生液として得る膜分離器３１と冷媒液分離器３２とを備える。
【００２２】
膜分離器３１は、冷媒液ａ透過性の分離膜３１ａと、分離膜３１ａの一方面側に冷媒蒸気ｃを吸収した吸収液ｄをフィード溶液として供給する吸収液供給部３１ｂとを備える。また、他方面側に下限臨界溶液温度を有する感温性高分子を含有するドロー溶液ｇを供給するドロー溶液供給部３１ｃを備える。分離膜３１ａは、吸収液供給部３１ｂより供給される吸収液ｄから冷媒液ａを分離してドロー溶液ｇに移行可能に構成され、分離膜３１ａの一方面側に冷媒蒸気ｃを吸収した希釈吸収液ｅから再生された吸収液ｄを再生液として排出する再生液排出部３１ｄと、分離膜３１ａの他方面側に冷媒液ａと混合して感温性高分子濃度が希釈された希釈ドロー溶液ｈを排出する希釈ドロー溶液排出部３１ｅとを備える。
【００２３】
冷媒液分離器３２は、希釈ドロー溶液排出部３１ｅから排出される希釈ドロー溶液ｈを加熱媒体ｊを流通させて加熱する相分離加熱部３２ｄを備え、加熱により希釈ドロー溶液ｈを感温性高分子と冷媒液ａを二相分離する分離槽３２ａを備える。分離槽３２ａには、分離された冷媒液ａを蒸発器１に供給する冷媒液返送部３２ｂと、冷媒液ａを分離して感温性高分子が濃縮再生されたドロー溶液ｇを、ドロー溶液供給部３１ｃに返送するドロー溶液返送部３２ｃを備える。なお、ドロー溶液返送部３２ｃにはドロー溶液ポンプＰ３が設けられ、膜分離器３１に対して浸透圧のみでは不足するドロー溶液の供給圧を得てもよい。
【００２４】
吸収式冷凍機は、膜分離が可能であれば、どのような冷媒液ａと吸収液ｄの組合せを利用するものであっても原理的に適用できる。
代表的な冷媒液ａと吸収液ｄの組合せは、冷媒液ａに水を吸収液ｄに臭化リチウム水溶液を使用するもの、冷媒液ａにアンモニアを吸収液ｄに水を使用するものである。好ましくは、幅広く実用化されている水／臭化リチウムの組み合わせである。
水と臭化リチウム水溶液の組合せでは、溶解度改善のためヨウ化リチウム、硝酸リチウム、エチレングリコール、塩化亜鉛、チオシアン酸リチウムなどが、防食のためモリブデン酸リチウム、クロム酸リチウムなどが、吸収促進のため１−オクタノールなどの界面活性剤が添加される。また、吸収液としては、臭化リチウム水溶液、アンモニア水溶液、の他には、トリエチレングリコール水溶液及びトリプロピレングリコール水溶液等を用いることができる。
【００２５】
膜分離器３１に用いられる分離膜３１ａには、正浸透膜が用いられ、冷媒液ａが水で吸収液ｄが臭化リチウム水溶液の分離の場合には、酢酸セルロース膜、架橋ポリアミド系複合膜などが使用できる。また、モジュールの形式はスパイラルや中空糸などが使用できる。
現在の技術で最も有望な分離膜モジュールは、架橋ポリアミド系複合膜を使用したスパイラル形式のモジュールであり、他の材質のものに比べて分離効率も良い。
【００２６】
相分離加熱部３２ｄにおける加熱媒体ｊとしては、ガスや油の燃焼熱、ガスや油の加熱による発生した温水、太陽熱、地熱等から発生した温水が用いられ、種々公知の構成から選択することができ、種類を問わない。
また、代表的な冷媒液分離器３２として、たとえば、バッチ槽や流動層などを用いることができるが、冷媒液分離器３２の種類は問わない。
また、感温性液体としては、たとえば、３０〜８０℃に下限臨界温度を持つものが好適に用いられ、更には、発生しやすい温度域の温水を利用できる４０℃〜７０℃に下限臨界溶液温度を持つものがより好ましい。そのような例として、非イオン性界面活性剤、エチレングリコールアルキル化合物、ポリエチレングリコール化合物、ポリエチレングリコールアルキル化合物、ポリエチレングリコールジアルキル化合物等がある。
【００２７】
蒸発器１としては、従来の吸収式冷凍機で用いられているものをそのまま利用でき、どのようなタイプであってもよい。代表的な蒸発器１としては、シェルアンドチューブ型、プレート型、プレートフィン型、二重管型、フィンチューブ型などを挙げることができる。
また、吸収器２についても、従来の吸収式冷凍機で用いられているものをそのまま利用でき、どのようなタイプであってもよい。代表的な吸収器２としては、シェルアンドチューブ型、プレート型、プレートフィン型、二重管型、フィンチューブ型などを挙げることができる。
【００２８】
（実施例１）
上記構成の吸収式冷凍機において、水を冷媒液ａとし、吸収液ｄに臭化リチウム水溶液（５５重量％）を用いたものを用い、蒸発器１および吸収器２には、シェルアンドチューブ型熱交換器を用い、蒸発器１内は、冷媒液ａである水が５℃で蒸発するように真空ポンプ１２で減圧し、その減圧状態で密閉維持した。
これは、５℃で水が蒸発する際の蒸発潜熱を冷房に利用するためであり、従来の吸収式冷凍サイクルでも同様である。吸収器２の外部は、冷却ファン２１により大気で冷却できるようにしており、冷媒蒸気ｃが吸収液ｄに吸収される際の吸収熱を放出できるようにしている。
また、再生器３の膜分離器３１には、架橋ポリアミド系複合膜からなる分離膜３１ａ（東レ製、ＲＯ膜）を備えたモジュールを用いた。また、感温性液体には、エチレングリコールアルキル化合物であるエチレングリコールモノイソブチルエーテル（東京化成、試薬）を用いた。これは、４０〜５０℃付近に下限臨界溶液温度を持つ化合物である。冷媒液分離器３２にはミキサセトラ型水槽を、相分離加熱部３２ｄは６０℃温水循環コイルをそれぞれ用いた。
吸収器２で水を吸収すると、吸収液（臭化リチウム水溶液）ｄは、濃度５０重量％の希釈吸収液ｅになる。希釈吸収液ｅは溶液ポンプＰ１により再生器３に移送される。再生器３の膜分離器３１にて、分離膜３１ａを介して希釈吸収液ｅから感温性液体を主成分とするドロー溶液ｇに冷媒液ａとしての水を吸収回収される。その吸収速度は、分離膜モジュール１つ当たり、５Ｌ／分であった。水が回収された吸収液ｄは、再び吸収器２へ移し、冷媒蒸気ｃ（水蒸気）を吸収させた。冷媒液ａを吸収した希釈ドロー溶液ｈは冷媒液分離器３２にて相分離加熱部３２ｄで、下限臨界溶液温度よりやや高温の６０℃に加熱される。希釈ドロー溶液ｈは、加熱によりドロー溶液（感温性液体）相と冷媒液（水）相に分離された。ここで上相がドロー溶液相であり、下相が冷媒液相である。冷媒液相の水は、蒸発器１へ供給され、蒸発されて冷熱を得る冷凍サイクルを繰り返し行うことができた。
【００２９】
（実施例２）
上記構成の吸収式冷凍機において、水を冷媒液ａとし、吸収液ｄにトリエチレングリコール水溶液（８０重量％）を用いたものを用い、蒸発器１および吸収器２には、シェルアンドチューブ型熱交換器を用い、蒸発器１内は、冷媒液ａである水が５℃で蒸発するように真空ポンプ１２で減圧し、その減圧状態で密閉維持した。
これは、５℃で水が蒸発する際の蒸発潜熱を冷房に利用するためであり、従来の吸収式冷凍サイクルでも同様である。吸収器２の外部は、冷却ファン２１により大気で冷却できるようにしており、冷媒蒸気ｃが吸収液ｄに吸収される際の吸収熱を放出できるようにしている。
また、再生器３の膜分離器３１には、架橋ポリアミド系複合膜からなる分離膜３１ａ（東レ製、ＲＯ膜）を備えたモジュールを用いた。また、感温性液体には、エチレングリコールアルキル化合物であるエチレングリコールモノイソブチルエーテル（東京化成、試薬）を用いた。これは、４０〜５０℃付近に下限臨界溶液温度を持つ化合物である。冷媒液分離器３２にはミキサセトラ型水槽を、相分離加熱部３２ｄは６０℃温水循環コイルをそれぞれ用いた。
吸収器２で水を吸収すると、吸収液（トリエチレングリコール水溶液）ｄは、濃度５０重量％の希釈吸収液ｅになる。希釈吸収液ｅは溶液ポンプＰ１により再生器３に移送される。再生器３の膜分離器３１にて、分離膜３１ａを介して希釈吸収液ｅから感温性液体を主成分とするドロー溶液ｇに冷媒液ａとしての水を吸収回収される。その吸収速度は、分離膜モジュール１つ当たり、５Ｌ／分であった。水が回収された吸収液ｄは、再び吸収器２へ移し、冷媒蒸気ｃ（水蒸気）を吸収させた。冷媒液ａを吸収した希釈ドロー溶液ｈは冷媒液分離器３２にて相分離加熱部３２ｄで、下限臨界溶液温度よりやや高温の６０℃に加熱される。希釈ドロー溶液ｈは、加熱によりドロー溶液（感温性液体）相と冷媒液（水）相に分離された。ここで上相がドロー溶液相であり、下相が冷媒液相である。冷媒液相の水は、蒸発器１へ供給され、蒸発されて冷熱を得る冷凍サイクルを繰り返し行うことができた。
【００３０】
実施例１および実施例２の冷熱発生効率（成績係数＝得られる冷熱量／入力したエネルギー量）を図２で示す加熱再生方式の従来型の吸収式冷凍機を比較例として比較した。なお、いずれの吸収式冷凍機も冷熱発生量３５１ｋＷ（１ＵＳ冷凍トン）サイズとして比較した。その結果を表１として示す。なお、冷熱発生量３５１ｋＷは、概ね延床面積３０００ｍ2の事務所ビルの冷房を賄える冷熱量であり、業務用の熱源機として最も汎用的なものである。
【００３１】
【表１】
2016180583.tif 000003
【００３２】
実施例と比較例とを比べると、実施例では動力および熱源として、冷却ファン２１、相分離加熱部３２ｄ、（ドロー溶液ポンプＰ３）が用いられているのに対して、比較例では冷却水ポンプＰ２、再生加熱部３３が用いられている以外の構成は、ほぼ共通するものとなっている。
これらの要素を比較すると、比較例では、再生器３で希釈吸収液ｅを加熱し冷媒液を蒸発させて再生する必要があるため、再生加熱部３３では、冷媒液を蒸発させる潜熱分の加熱が必要となるが、実施例における相分離加熱部３３ｄでは、希釈吸収液ｅを顕熱加熱させるだけの加熱量で済む。そのため、実施例の成績係数は、比較例と比較して大きくなり、効率良く冷熱を発生させることができるようになっている。
【産業上の利用可能性】
【００３３】
本発明の吸収式冷凍機は、運転に要するエネルギーの少なく高効率で冷熱を発生するため、業務用熱源機等の吸収式冷凍機、吸収式ヒートポンプ等として用いることができる。
【符号の説明】
【００３４】
１        ：蒸発器
１１      ：冷熱回収部
１２      ：真空ポンプ
２        ：吸収器
２１      ：冷却ファン
２２ａ    ：冷却配管
２２ｂ    ：冷媒配管
３        ：再生器
３１      ：膜分離器
３１ａ    ：分離膜
３１ｂ    ：吸収液供給部
３１ｃ    ：ドロー溶液供給部
３１ｄ    ：再生液排出部
３１ｅ    ：希釈ドロー溶液排出部
３２      ：冷媒液分離器
３２ａ    ：分離槽
３２ｂ    ：冷媒液返送部
３２ｃ    ：ドロー溶液返送部
３２ｄ    ：相分離加熱部
３２ｅ    ：ドロー溶液循環ポンプ
３３      ：再生加熱部
３３ｄ    ：相分離加熱部
４        ：凝縮器
Ｐ１      ：溶液ポンプ
Ｐ２      ：冷却水ポンプ
Ｐ３      ：ドロー溶液ポンプ
ａ        ：冷媒液
ｂ        ：冷却対象媒体
ｃ        ：冷媒蒸気
ｄ        ：吸収液
ｅ        ：希釈吸収液
ｆ        ：冷却媒体
ｇ        ：ドロー溶液
ｈ        ：希釈ドロー溶液
ｊ        ：加熱媒体
【図１】
2016180583.tif 000004
【図２】
2016180583.tif 000005